(57)【要約】【課題】  国内品発注装置１により生成された発注データに輸入品特有の発注要件を付加することができる輸入品発注装置及び発注システムを得ることを目的とする。【解決手段】  予め輸入品を発注する際に必要とする輸入品特有の発注要件を記憶し、国内品発注装置１から送信された発注データを受信すると、輸入品特有の発注要件を当該発注データに付加し、輸入品特有の発注要件を付加した発注データを輸出者システム４に送信する。これにより、国内品発注装置１により生成された発注データに輸入品特有の発注要件を付加することができるため、国内品発注装置１を改変することなく、輸入品の発注を取り扱うことができる。【選択図】        図１
2005258685.tif 000002
【特許請求の範囲】
【請求項１】
標準の発注要件を含む発注データを受信する発注データ受信手段と、特有の付加的発注要件を記憶する発注要件記憶手段と、上記発注要件記憶手段に記憶されている特有の発注要件を上記発注データ受信手段により受信された発注データに付加する発注要件付加手段と、上記発注要件付加手段により特有の発注要件が付加された発注データにしたがって発注する発注手段とを備えた発注装置。
【請求項２】
国内品を発注する際に必要とする標準の発注要件を含む発注データを受信する発注データ受信手段と、輸入品を発注する際に必要とする輸入品特有の発注要件を記憶する発注要件記憶手段と、上記発注要件記憶手段に記憶されている輸入品特有の発注要件を上記発注データ受信手段により受信された発注データに付加する発注要件付加手段と、上記発注要件付加手段により輸入品特有の発注要件が付加された発注データにしたがって輸入品を発注する輸入品発注手段とを備えた発注装置。
【請求項３】
発注要件付加手段は、発注要件記憶手段に記憶されている輸入品特有の発注要件のなかから、発注データ受信手段により受信された発注データに含まれている一部の発注要件に合致する輸入品特有の発注要件を検索することを特徴とする請求項２記載の発注装置。
【請求項４】
発注要件付加手段は、発注データ受信手段により受信された発注データに含まれている発注者コード、メーカコード及び品名コードを検索キーにして、輸入品特有の発注要件を検索することを特徴とする請求項３記載の発注装置。
【請求項５】
発注要件付加手段は、発注要件記憶手段に記憶されている輸入品特有の発注要件のなかに、発注データ受信手段により受信された発注データに含まれている一部の発注要件に合致する輸入品特有の発注要件が記憶されていない場合、輸入品特有の発注要件の入力を促すメッセージを返信して、輸入品特有の発注要件を受信すると、その発注要件を発注データに付加することを特徴とする請求項３記載の発注装置。
【請求項６】
輸入品を発注する際に必要とする輸入品特有の発注要件の登録を受け付けて、その輸入品特有の発注要件を発注要件記憶手段に出力する発注要件登録手段を設けたことを特徴とする請求項２から請求項５のうちのいずれか１項記載の発注装置。
【請求項７】
輸入品発注手段は、輸入品を発注するに際して、発注要件付加手段により輸入品特有の発注要件が付加された発注データを輸出者システムに伝送することを特徴とする請求項２から請求項６のうちのいずれか１項記載の発注装置。
【請求項８】
輸入品発注手段は、輸入品を発注するに際して、発注要件付加手段により輸入品特有の発注要件が付加された発注データをネットワークに接続されているＷｅｂシステムに登録することを特徴とする請求項２から請求項６のうちのいずれか１項記載の発注装置。
【請求項９】
輸入品発注手段は、輸入品を発注するに際して、発注要件付加手段により輸入品特有の発注要件が付加された発注データを印刷し、その印刷物である注文書を発行することを特徴とする請求項２から請求項６のうちのいずれか１項記載の発注装置。
【請求項１０】
国内品を発注する際に必要とする標準の発注要件を含む発注データを生成し、その発注データを送信する国内品発注装置と、予め輸入品を発注する際に必要とする輸入品特有の発注要件を記憶し、上記国内品発注装置から送信された発注データを受信すると、輸入品特有の発注要件を当該発注データに付加し、輸入品特有の発注要件を付加した発注データにしたがって輸入品を発注する発注装置とを備えた発注システム。
【請求項１１】
発注装置は、予め記憶している輸入品特有の発注要件のなかから、国内品発注装置から送信された発注データに含まれている一部の発注要件に合致する輸入品特有の発注要件を検索することを特徴とする請求項１０記載の発注システム。
【発明の詳細な説明】
【技術分野】
【０００１】
この発明は、特有の発注要件を含む発注データを生成して発注する発注装置及び発注システムに関し、特に輸入品の発注に好適な発注装置及び発注システムに関するものである。
【背景技術】
【０００２】
従来の発注システムは、国内のメーカや代理店に部品などを発注するために構築されており、国内品を発注する際に必要とする標準の発注要件（発注者が受注者に伝達する項目）を含む発注データを生成し、その発注データを受注者のシステムに送信する（例えば、特許文献１参照）。
【０００３】
標準の発注要件は、業界毎に定められており、例えば、電機業界では、ＪＥＩＴＡ標準などが定められている。
具体的には、“発注者コード”、“受注者コード”、“部品コード”、“注文番号”、“単価”、“数量”、“納期”、“メーカコード”などが標準の発注要件として定められ、これらの発注要件を含む発注データを生成して受注者のシステムに送信する。
【０００４】
一方、輸入品を発注する場合、国内品を発注する際に必要とする標準の発注要件の他に、輸入品特有の発注要件を受注者に伝達する必要がある。
輸入品特有の発注要件としては、例えば、国際商工会議所（ＩＣＣ）により定められている「インコタームズ」などがある。具体的には、所有権の移転時期や運賃、保険料、通関費用等を発注者と受注者のいずれが負担するかなどの取引条件、輸送手段、海上（航空）保険の有無、入港地、通関業者、決済方法などの発注要件がある。
【０００５】
【特許文献１】特開平５−９４４５５号公報（段落番号［００１５］から［００１６］、図３）
【発明の開示】
【発明が解決しようとする課題】
【０００６】
従来の発注システムは以上のように構成されているので、国内品を発注する際に必要とする標準の発注要件を含む発注データを生成することができる。しかし、輸入品を発注する際に必要とする輸入品特有の発注要件を発注データに付加することができず、輸入品の発注を取り扱うことができない課題があった。
なお、輸入品特有の発注要件を発注データに付加することができるように、国内品の発注システム自体を改変すれば、輸入品の発注を取り扱うことができるようになるが、通常、国内品の発注システムは事業所や工場毎の生産管理システムと深く結びついていることが多いため容易に改変することができない。
【０００７】
この発明は上記のような課題を解決するためになされたもので、標準の発注データに特有の発注要件を付加することが可能な例えば国内品の発注システム（以下、国内品発注装置という）により生成された発注データに輸入品特有の発注要件を付加することができる発注装置及び発注システムを得ることを目的とする。
【課題を解決するための手段】
【０００８】
この発明に係る発注装置は、発注要件記憶手段に記憶されている特有の発注要件を発注データ受信手段により受信された発注データに付加する発注要件付加手段を設け、その発注要件付加手段により特有の発注要件が付加された発注データにしたがって発注するようにしたものである。
【発明の効果】
【０００９】
この発明によれば、発注要件記憶手段に記憶されている特有の発注要件を発注データ受信手段により受信された発注データに付加する発注要件付加手段を設け、その発注要件付加手段により特有の発注要件が付加された発注データにしたがって発注するように構成したので、標準品の発注装置により生成された発注データに特有の発注要件を付加することができるようになり、その結果、標準品の発注装置を改変することなく、種々の発注を取り扱うことができる効果がある。
【発明を実施するための最良の形態】
【００１０】
実施の形態１．
図１はこの発明の実施の形態１による発注システムを示す構成図であり、図において、国内品発注装置１は例えば企業の事業所毎に設置され、国内品を発注する際に必要とする標準の発注要件を含む発注データを生成し、その発注データを国内品の取引先のシステム２（以下、国内品取引先システムという）、あるいは、輸入品発注装置３に送信する。なお、発注データの送信は、例えば、電話回線を利用してもよいし、インターネットなどのネットワークを利用してもよい。
国内品取引先システム２は例えば国内品を取り扱うメーカや代理店に設置され、国内品発注装置１から送信された発注データを受信すると、その発注データにしたがって国内品の注文受付処理を実施する。
【００１１】
輸入品発注装置３は予め輸入品を発注する際に必要とする輸入品特有の発注要件を記憶し、国内品発注装置１から送信された発注データを受信すると、輸入品特有の発注要件を当該発注データに付加し、輸入品特有の発注要件を付加した発注データを輸出者側のシステム４（以下、輸出者システム）に送信する。なお、発注データの送信は、例えば、電話回線を利用してもよいし、インターネットなどのネットワークを利用してもよい。
輸出者システム４は例えば外国のメーカや代理店に設置され、輸入品発注装置３から送信された発注データを受信すると、その発注データにしたがって輸入品の注文受付処理を実施する。
【００１２】
図２はこの発明の実施の形態１による発注システムの国内品発注装置１を示す構成図であり、図において、データベース１１は国内品を発注する際に必要とする標準の発注要件を示す要件マスタテーブルを格納しているメモリである。操作部１２はキーボードやマウスなどのマンマシンインタフェースであり、発注担当者が国内品や輸入品を発注する際に発注要件である受注者コードや品名コードなどを入力する。
【００１３】
発注データ生成部１３は例えばＣＰＵなどのマイクロプロセッサを搭載しており、例えば、発注担当者が操作部１２を操作して、発注要件の入力受付を要求すると、データベース１１に格納されている要件マスタテーブルを参照して、入力すべき標準の発注要件をＣＲＴなどのディスプレイ１４に表示し、また、発注担当者が操作部１２を操作して、標準の発注要件を入力すると、標準の発注要件を含む発注データを生成する。
【００１４】
ＥＤＩ伝送部１５は発注データをＥＤＩ（Ｅｌｅｃｔｒｉｃ  Ｄａｔａ  Ｉｎｔｅｒｃｈａｇｅ：電子データ交換）伝送するデータ通信機器を実装しており、ＥＤＩ伝送部１５は発注データ生成部１３から発注データを受けると、その発注データに含まれている受注者コードが国内品取引先システム２を示すコードであるのか、輸入品発注装置３を示すコードであるのかを確認し、その受注者コードが国内品取引先システム２を示すコードであれば、その発注データを国内品取引先システム２にＥＤＩ伝送し、その受注者コードが輸入品発注装置３を示すコードであれば、その発注データを輸入品発注装置３にＥＤＩ伝送する。
【００１５】
なお、図２の国内品発注装置１は、その構成要素である発注データ生成部１３やＥＤＩ伝送部１５などが専用のハードウェアを用いて構成されているものについて示したが、例えば、パーソナルコンピュータを用いて国内品発注装置１を構成してもよい。ただし、この場合、その構成要素である発注データ生成部１３やＥＤＩ伝送部１５の処理内容を記述したプログラムを予めメモリに格納し、そのパーソナルコンピュータのＣＰＵが当該プログラムを実行するようにする。
【００１６】
図３はこの発明の実施の形態１による発注システムの輸入品発注装置３を示す構成図であり、図において、発注データ送受信部２１は国内品発注装置１からＥＤＩ伝送された発注データを受信する一方、所定のメッセージを国内品発注装置１に送信するデータ通信機器を実装しており、発注データ送受信部２１は発注データ受信手段を構成している。
データベース２２は輸入品を発注する際に必要とする輸入品特有の発注要件を格納しているメモリであり、データベース２２は発注要件記憶手段を構成している。
【００１７】
発注要件検索部２３は例えばＣＰＵなどのマイクロプロセッサを搭載しており、データベース２２に記憶されている輸入品特有の発注要件のなかから、発注データ送受信部２１により受信された発注データに含まれている一部の発注要件（例えば、発注者コード、メーカコード、品名コード）を検索キーにして、輸入品特有の発注要件を検索する。
発注要件付加部２４は例えばＣＰＵなどのマイクロプロセッサを搭載しており、発注要件検索部２３により検索された輸入品特有の発注要件を発注データ送受信部２１により受信された発注データに付加する。
なお、発注要件検索部２３及び発注要件付加部２４から発注要件付加手段が構成されている。
【００１８】
発注データ送信部２５はデータ通信機器を実装しており、発注要件付加部２４により輸入品特有の発注要件が付加された発注データを輸出者システム４に送信することにより、輸入品の発注処理を実施する。なお、発注データ送信部２５は輸入品発注手段を構成している。
【００１９】
なお、図３の輸入品発注装置３は、その構成要素である発注データ送受信部２１、発注要件検索部２３、発注要件付加部２４及び発注データ送信部２５が専用のハードウェアを用いて構成されているものについて示したが、例えば、パーソナルコンピュータを用いて輸入品発注装置３を構成してもよい。ただし、この場合、その構成要素である発注データ送受信部２１、発注要件検索部２３、発注要件付加部２４及び発注データ送信部２５の処理内容を記述したプログラムを予めメモリに格納し、そのパーソナルコンピュータのＣＰＵが当該プログラムを実行するようにする。
図４はこの発明の実施の形態１による輸入品発注装置３の処理内容を示すフローチャートである。
【００２０】
次に動作について説明する。
例えば、ある企業の発注担当者が部品等を発注する必要がある場合、国内品発注装置１の操作部１２を操作して、発注要件の入力受付を要求する。
国内品発注装置１の発注データ生成部１３は、発注要件の入力受付の要求を受けると、データベース１１に格納されている要件マスタテーブルを参照して、入力すべき標準の発注要件をディスプレイ１４に表示する（図５を参照）。
【００２１】
これにより、発注担当者は、国内品発注装置１の操作部１２を操作して、ディスプレイ１４に表示されている標準の発注要件を入力する。
即ち、発注者を特定する発注者コード、部品の発注先を特定する受注者コード、発注品を特定する品名コード、注文番号、単価、数量、納期、発注品を製造するメーカを特定するメーカコードなどを標準の発注要件として入力する。
【００２２】
国内品発注装置１の発注データ生成部１３は、発注担当者が操作部１２を操作して、標準の発注要件の入力を完了すると、図６に示すように、その標準の発注要件を組み合わせて発注データを生成し、その発注データをＥＤＩ伝送部１５に出力する。
【００２３】
国内品発注装置１のＥＤＩ伝送部１５は、発注データ生成部１３から発注データを受けると、その発注データに含まれている受注者コードが国内品取引先システム２を示すコードであるのか、輸入品発注装置３を示すコードであるのかを確認する。
ＥＤＩ伝送部１５は、その発注データに含まれている受注者コードが国内品取引先システム２を示すコードであれば、その発注データを国内品取引先システム２にＥＤＩ伝送する。
一方、その発注データに含まれている受注者コードが輸入品発注装置３を示すコードであれば、その発注データを輸入品発注装置３にＥＤＩ伝送する。
【００２４】
国内品取引先システム２は、国内品発注装置１からＥＤＩ伝送された発注データを受信すると、その発注データに含まれている標準の発注要件を識別して、国内品の注文受付処理を実施する。
また、輸入品発注装置３は、国内品発注装置１からＥＤＩ伝送された発注データを受信すると、輸入品特有の発注要件を当該発注データに付加し、輸入品特有の発注要件を付加した発注データを輸出者システム４に送信する。
具体的には次の通りである。
【００２５】
まず、輸入品発注装置３の発注データ送受信部２１は、国内品発注装置１からＥＤＩ伝送された発注データを受信する（ステップＳＴ１）。
輸入品発注装置３の発注要件検索部２３は、データベース２２に記憶されている輸入品特有の発注要件のなかから、発注データ送受信部２１により受信された発注データに含まれている一部の発注要件（例えば、発注者コード、メーカコード、品名コード）を検索キーにして、輸入品特有の発注要件を検索する。
【００２６】
即ち、データベース２２には、予め、発注者コード、メーカコード及び品名コードの各組合せ毎に、輸入品特有の発注要件が記憶されているので（図７を参照）、発注要件検索部２３が発注データ送受信部２１により受信された発注データから発注者コード、メーカコード及び品名コードを抽出する（ステップＳＴ２）。
輸入品発注装置３の発注要件検索部２３は、発注データから抽出した発注者コード、メーカコード及び品名コードの全てが一致する輸入品特有の発注要件を検索する（ステップＳＴ３）。
【００２７】
輸入品発注装置３の発注要件検索部２３は、発注者コード、メーカコード及び品名コードの全てが一致する輸入品特有の発注要件がデータベース２２に記憶されている場合（ステップＳＴ４）、データベース２２からその輸入品特有の発注要件を読み出して、その発注要件を発注要件付加部２４に出力する（ステップＳＴ５）。
例えば、発注者コードが“Ａ０６”、メーカコードが“Ｍ３５”、品名コード“Ｈ０１”である場合、輸入品特有の発注要件として、取引条件が“Ｘ５”、輸送手段が“Ｙ１”、入港地が“Ｚ３”などの発注要件を読み出して、その発注要件を発注要件付加部２４に出力する。
なお、Ｘ□、Ｙ□、Ｚ□などは、取引条件、輸送手段、入港地などを特定するコードである。
【００２８】
一方、発注者コード、メーカコード及び品名コードの全てが一致する輸入品特有の発注要件がデータベース２２に記憶されていない場合（ステップＳＴ４）、発注要件検索部２３が発注データ送受信部２１を介して、輸入品特有の発注要件の入力を促すメッセージを国内品発注装置１に送信する（ステップＳＴ６）。
【００２９】
国内品発注装置１の発注データ生成部１３は、ＥＤＩ伝送部１５が輸入品発注装置３から輸入品特有の発注要件の入力を促すメッセージを受信すると、そのメッセージをディスプレイ１４に表示する。
これにより、発注担当者が操作部１２を操作して、輸入品特有の発注要件を入力すると、発注データ生成部１３がＥＤＩ伝送部１５を介して、その輸入品特有の発注要件を輸入品発注装置３に送信する。
輸入品発注装置３の発注要件検索部２３は、発注データ送受信部２１が国内品発注装置１から輸入品特有の発注要件を受信すると（ステップＳＴ７）、その輸入品特有の発注要件を発注要件付加部２４に出力する。
【００３０】
輸入品発注装置３の発注要件付加部２４は、発注要件検索部２３から輸入品特有の発注要件を受けると、その輸入品特有の発注要件を発注データ送受信部２１により受信された発注データに付加する（ステップＳＴ８）。
即ち、発注要件付加部２４は、発注データ送受信部２１により受信された発注データに含まれている受注者コードは、輸入品発注装置３のコードであって、輸入品の製造元を特定するコードではないので、図８に示すように、その発注データに含まれている受注者コードをメーカコードに置き換える処理を実施する。
そして、発注要件付加部２４は、その発注データに輸入品特有の発注要件を付加して発注データ送信部２５に出力する。
【００３１】
輸入品発注装置３の発注データ送信部２５は、発注要件付加部２４から輸入品特有の発注要件が付加された発注データを受けると、その発注データを輸出者システム４に送信することにより、輸入品の発注処理を実施する（ステップＳＴ９）。
輸出者システム４は、輸入品発注装置３から送信された発注データを受信すると、その発注データにしたがって輸入品の注文受付処理を実施する。
【００３２】
以上で明らかなように、この実施の形態１によれば、予め輸入品を発注する際に必要とする輸入品特有の発注要件を記憶し、国内品発注装置１から送信された発注データを受信すると、輸入品特有の発注要件を当該発注データに付加し、輸入品特有の発注要件を付加した発注データを輸出者システム４に送信するように構成したので、国内品発注装置１により生成された発注データに輸入品特有の発注要件を付加することができるようになり、その結果、国内品発注装置１を改変することなく、輸入品の発注を取り扱うことができる効果を奏する。
【００３３】
また、この実施の形態１によれば、データベース２２に記憶されている輸入品特有の発注要件のなかから、発注データ送受信部２１により受信された発注データに含まれている一部の発注要件に合致する輸入品特有の発注要件を検索するように構成したので、例えば、輸入品の品名や輸出先などに適用する輸入品特有の発注要件を自動的に付加することができる効果を奏する。
【００３４】
さらに、この実施の形態１によれば、輸入品を発注するに際して、発注要件付加部２４により輸入品特有の発注要件が付加された発注データを輸出者システム４に伝送するように構成したので、国内品発注装置１を改変することなく、輸入品を発注することができる効果を奏する。
【００３５】
実施の形態２．
図９はこの発明の実施の形態２による発注システムの輸入品発注装置３を示す構成図であり、図において、図３と同一符号は同一または相当部分を示すので説明を省略する。
発注要件登録部２６は例えばキーボードなどのマンマシンインタフェースや、ディスプレイを搭載し、輸入品を発注する際に必要とする輸入品特有の発注要件の登録を受け付ける機能を備えている。なお、発注要件登録部２６は発注要件登録手段を構成している。
【００３６】
上記実施の形態１では、予めデータベース２２が輸入品を発注する際に必要とする輸入品特有の発注要件を格納しているものについて示したが、発注要件登録部２６が輸入品を発注する際に必要とする輸入品特有の発注要件の手入力を受け付けて、その輸入品特有の発注要件をデータベース２２に格納するようにしてもよい。なお、言うまでもないが、発注者コード、メーカコード及び品名コードも同時に入力し、輸入品特有の発注要件をデータベース２２に格納する際、発注者コード、メーカコード及び品名コードと対にして格納する。
これにより、例えば、新たな輸出者に輸入品を発注する場合や、新たな輸入品を発注する場合にも、自動的に適正な輸入品特有の発注要件を検索することができるようになる効果を奏する。
【００３７】
実施の形態３．
上記実施の形態２では、例えばキーボードなどのマンマシンインタフェースや、ディスプレイを搭載している発注要件登録部２６が、手入力された輸入品特有の発注要件の登録を受け付けて、その発注要件をデータベース２２に格納するものについて示したが、図１０に示すように、発注要件登録手段を構成する発注要件登録部２７が国内品発注装置１から送信された輸入品特有の発注要件をデータベース２２に格納するようにしてもよい。
【００３８】
具体的には下記の通りである。
輸入品発注装置３の発注要件検索部２３は、発注者コード、メーカコード及び品名コードの全てが一致する輸入品特有の発注要件がデータベース２２に記憶されていない場合、上記実施の形態１と同様に、発注データ送受信部２１を介して、輸入品特有の発注要件の入力を促すメッセージを国内品発注装置１に送信する。
【００３９】
国内品発注装置１の発注データ生成部１３は、ＥＤＩ伝送部１５が輸入品発注装置３から輸入品特有の発注要件の入力を促すメッセージを受信すると、上記実施の形態１と同様に、そのメッセージをディスプレイ１４に表示する。
これにより、発注担当者が操作部１２を操作して、輸入品特有の発注要件を入力すると、発注データ生成部１３がＥＤＩ伝送部１５を介して、その輸入品特有の発注要件を輸入品発注装置３に送信する。
【００４０】
輸入品発注装置３の発注要件検索部２３は、発注データ送受信部２１が国内品発注装置１から輸入品特有の発注要件を受信すると、上記実施の形態１と同様に、その輸入品特有の発注要件を発注要件付加部２４に出力する。
【００４１】
また、輸入品発注装置３の発注要件登録部２７は、発注データ送受信部２１が国内品発注装置１から輸入品特有の発注要件を受信すると、先に発注データから抽出した発注者コード、メーカコード及び品名コードと対にして、その輸入品特有の発注要件をデータベース２２に格納する。
これにより、同一の輸入品を同じメーカに発注する場合には、次回から発注担当者が輸入品特有の発注要件を手入力することなく、輸入品の発注処理を依頼することができる効果を奏する。
【００４２】
実施の形態４．
図１１はこの発明の実施の形態４による発注システムを示す構成図であり、図において、図１と同一符号は同一または相当部分を示すので説明を省略する。
輸入品発注装置５は図１の輸入品発注装置３と同様に、予め輸入品を発注する際に必要とする輸入品特有の発注要件を記憶し、国内品発注装置１から送信された発注データを受信すると、輸入品特有の発注要件を当該発注データに付加するが、輸入品を発注するに際して、輸入品特有の発注要件を付加した発注データを例えばインターネット８などのネットワークに接続されているＷｅｂシステム６に登録する。
【００４３】
Ｗｅｂシステム６は輸入品発注装置５による発注データの登録を受け付ける機能を有するサーバ装置である。
輸出者システム７はＷｅｂシステム６にアクセスして、自己宛の発注データが登録されているか否かを調査し、自己宛の発注データが登録されていれば、その発注データをダウンロードし、その発注データにしたがって輸入品の注文受付処理を実施する。
【００４４】
図１２はこの発明の実施の形態４による発注システムの輸入品発注装置５を示す構成図であり、図において、図１０と同一符号は同一または相当部分を示すので説明を省略する。
発注データ登録部２８はデータ通信機器を実装しており、発注要件付加部２４により輸入品特有の発注要件が付加された発注データをＷｅｂシステム６に登録することにより、輸入品の発注処理を実施する。なお、発注データ登録部２８は輸入品発注手段を構成している。
【００４５】
上記実施の形態１〜３では、輸入品発注装置３の発注データ送信部２５が発注要件付加部２４から輸入品特有の発注要件が付加された発注データを受けると、その発注データを輸出者システム４に送信することにより、輸入品の発注処理を実施するものについて示したが、輸入品発注装置５の発注データ登録部２８が発注要件付加部２４から輸入品特有の発注要件が付加された発注データを受けると、その発注データをＷｅｂシステム６に登録することにより、輸入品の発注処理を実施するようにしてもよい。
【００４６】
この場合、輸出者システム７は、定期的にＷｅｂシステム６にアクセスし、あるいは、輸入品発注装置３から発注データを登録したことを示すメールを受信した時に、Ｗｅｂシステム６にアクセスし、自己宛の発注データが登録されているか否かを調査する。
そして、輸出者システム７は、自己宛の発注データが登録されていれば、その発注データをダウンロードし、その発注データにしたがって輸入品の注文受付処理を実施する。
【００４７】
以上で明らかなように、この実施の形態４によれば、予め輸入品を発注する際に必要とする輸入品特有の発注要件を記憶し、国内品発注装置１から送信された発注データを受信すると、輸入品特有の発注要件を当該発注データに付加し、輸入品特有の発注要件を付加した発注データをＷｅｂシステム６に登録するように構成したので、上記実施の形態１〜３と同様に、国内品発注装置１を改変することなく、輸入品の発注を取り扱うことができる効果を奏する。
【００４８】
実施の形態５．
図１３はこの発明の実施の形態５による発注システムを示す構成図であり、図において、図１と同一符号は同一または相当部分を示すので説明を省略する。
輸入品発注装置９は図１の輸入品発注装置３と同様に、予め輸入品を発注する際に必要とする輸入品特有の発注要件を記憶し、国内品発注装置１から送信された発注データを受信すると、輸入品特有の発注要件を当該発注データに付加するが、輸入品を発注するに際して、輸入品特有の発注要件を付加した発注データを印刷し、その印刷物である注文書を発行する。
輸出者システム１０は輸入品発注装置９により発行された注文書を受けると、その注文書に記載されている発注データにしたがって輸入品の注文受付処理を実施する。
【００４９】
図１４はこの発明の実施の形態５による発注システムの輸入品発注装置９を示す構成図であり、図において、図１０と同一符号は同一または相当部分を示すので説明を省略する。
発注データ印刷部２９は発注要件付加部２４により輸入品特有の発注要件が付加された発注データを印刷し、その印刷物である注文書を発行する。なお、発注データ印刷部２９は輸入品発注手段を構成している。
【００５０】
上記実施の形態１〜３では、輸入品発注装置３の発注データ送信部２５が発注要件付加部２４から輸入品特有の発注要件が付加された発注データを受けると、その発注データを輸出者システム４に送信することにより、輸入品の発注処理を実施するものについて示したが、輸入品発注装置９の発注データ印刷部２９が発注要件付加部２４から輸入品特有の発注要件が付加された発注データを受けると、その発注データを例えば英文形式で印刷し、その印刷物である注文書を発行することにより、輸入品の発注処理を実施するようにしてもよい。
【００５１】
この場合、輸入品発注装置３の管理者等が、例えば、郵送やファクシミリなど方法を用いて、その注文書を輸出者システム１０に送信する。
輸出者システム１０は、輸入品発注装置９により発行された注文書を受けると、その注文書に記載されている発注データにしたがって輸入品の注文受付処理を実施する。
【００５２】
以上で明らかなように、この実施の形態５によれば、予め輸入品を発注する際に必要とする輸入品特有の発注要件を記憶し、国内品発注装置１から送信された発注データを受信すると、輸入品特有の発注要件を当該発注データに付加し、輸入品特有の発注要件を付加した発注データを印刷し、その印刷物である注文書を発行するように構成したので、上記実施の形態１〜３と同様に、国内品発注装置１を改変することなく、輸入品の発注を取り扱うことができる効果を奏する。
【００５３】
実施の形態６．
上記実施の形態１〜３では、輸入品発注装置３の発注データ送信部２５が輸入品特有の発注要件が付加された発注データを輸出者システム４に送信し、上記実施の形態４では、輸入品発注装置５の発注データ登録部２８が輸入品特有の発注要件が付加された発注データをＷｅｂシステム６に登録し、上記実施の形態５では、輸入品発注装置９の発注データ印刷部２９が輸入品特有の発注要件が付加された発注データを印刷するものについて示したが、図１５に示すように、発注要件付加部２４が発注データに含まれている発注者コードと受注者コードを調べ、その発注者コードと受注者コードに対応する伝達方法を取得し、その伝達方法にしたがって輸入品特有の発注要件が付加された発注データを発注データ送信部２５、発注データ登録部２８、または、発注データ印刷部２９に出力するようにしてもよい。
【００５４】
具体的には、発注者コードと受注者コードに対応する伝達方法を示す伝達方法マスタがデータベース２２に格納されている場合（図１６を参照）、発注要件付加部２４がデータベース２２に格納されている伝達方法マスタから、発注データに含まれている発注者コードと受注者コードに対応する伝達方法を取得する。
発注要件付加部２４は、伝達方法マスタから取得した伝達方法が“１：データ伝送”であれば、その発注データを発注データ送信部２５に出力する。
伝達方法マスタから取得した伝達方法が“２：Ｗｅｂ”であれば、その発注データを発注データ登録部２８に出力する。
また、伝達方法マスタから取得した伝達方法が“３：注文書発行”であれば、その発注データを発注データ印刷部２９に出力する。
これにより、例えば、輸出者システムの都合のよい伝達方法で、発注データを伝達することができる効果を奏する。
【００５５】
なお、上記実施の形態では、標準品として国内品を特有の発注要件を有する発注品として、輸入品の場合を例にとって説明したが、標準品とカスタマイズ品など、標準の発注データと特有の発注要件とを有する他の発注装置にも同時に適用できることは言うまでもない。
【図面の簡単な説明】
【００５６】
【図１】この発明の実施の形態１による発注システムを示す構成図である。
【図２】この発明の実施の形態１による発注システムの国内品発注装置を示す構成図である。
【図３】この発明の実施の形態１による発注システムの輸入品発注装置を示す構成図である。
【図４】この発明の実施の形態１による輸入品発注装置の処理内容を示すフローチャートである。
【図５】標準の発注要件を示す説明図である。
【図６】標準の発注要件を含む発注データを示す説明図である。
【図７】輸入品特有の発注要件を示す説明図である。
【図８】輸入品特有の発注要件が付加された発注データを示す説明図である。
【図９】この発明の実施の形態２による発注システムの輸入品発注装置を示す構成図である。
【図１０】この発明の実施の形態３による発注システムの輸入品発注装置を示す構成図である。
【図１１】この発明の実施の形態４による発注システムを示す構成図である。
【図１２】この発明の実施の形態４による発注システムの輸入品発注装置を示す構成図である。
【図１３】この発明の実施の形態５による発注システムを示す構成図である。
【図１４】この発明の実施の形態５による発注システムの輸入品発注装置を示す構成図である。
【図１５】この発明の実施の形態６による発注システムの輸入品発注装置を示す構成図である。
【図１６】伝達方法マスタを示す説明図である。
【符号の説明】
【００５７】
１  国内品発注装置、２  国内品取引先システム、３  輸入品発注装置、４  輸出者システム、５  輸入品発注装置、６  Ｗｅｂシステム、７  輸出者システム、８  インターネット（ネットワーク）、９  輸入品発注装置、１０  輸出者システム、１１  データベース、１２  操作部、１３  発注データ生成部、１４  ディスプレイ、１５  ＥＤＩ伝送部、２１  発注データ送受信部（発注データ受信手段）、２２  データベース（発注要件記憶手段）、２３  発注要件検索部（発注要件付加手段）、２４  発注要件付加部（発注要件付加手段）、２５  発注データ送信部（輸入品発注手段）、２６  発注要件登録部（発注要件登録手段）、２７  発注要件登録部（発注要件登録手段）、２８  発注データ登録部（輸入品発注手段）、２９  発注データ印刷部（輸入品発注手段）。
【図１】
2005258685.tif 000003
【図２】
2005258685.tif 000004
【図３】
2005258685.tif 000005
【図４】
2005258685.tif 000006
【図５】
2005258685.tif 000007
【図６】
2005258685.tif 000008
【図７】
2005258685.tif 000009
【図８】
2005258685.tif 000010
【図９】
2005258685.tif 000011
【図１０】
2005258685.tif 000012
【図１１】
2005258685.tif 000013
【図１２】
2005258685.tif 000014
【図１３】
2005258685.tif 000015
【図１４】
2005258685.tif 000016
【図１５】
2005258685.tif 000017
【図１６】
2005258685.tif 000018